(57)【要約】【課題】複数の電子機器の操作を効率よく行うことが可能な、電子機器の制御システムを提供する。【解決手段】画像表示システム１は、制御信号を供給するリモートコントローラー２と、複数のプロジェクター３Ａ〜３Ｃとを備える。プロジェクター３Ａは、上流側のプロジェクター３Ｃから制御情報を受信する制御情報受信部３３２３と、受信された制御情報を、下流側のプロジェクター３Ｂに送信する制御情報送信部３３２５と、受信された制御情報に基づいてプロジェクター３Ａにおいて所定の機能を実行する機能実行部３３２６と、を備える。【選択図】図２
2014072822.tif 000002
【特許請求の範囲】
【請求項１】
電子機器であって、
当該電子機器、及び第１の電子機器を遠隔操作する制御機器から受信した制御信号に基づいて、制御情報を生成する制御情報生成部と、
前記制御情報生成部によって生成された前記制御情報を、前記第１の電子機器に送信する送信部と、
前記制御情報生成部によって生成された前記制御情報に基づいて所定の機能を実行する機能実行部と、
を備えることを特徴とする電子機器。
【請求項２】
請求項１に記載の電子機器において、
第２の電子機器が生成した制御情報を受信する受信部をさらに備え、
前記送信部は、前記第２の電子機器から受信した前記制御情報を、前記第１の電子機器に送信し、
前記機能実行部は、前記第２の電子機器から受信した前記制御情報に基づいて、前記所定の機能を実行することを特徴とする電子機器。
【請求項３】
請求項１又は２に記載の電子機器において、
当該電子機器に前記第１の電子機器が接続されているか否かを判定する第１の接続判定部をさらに備え、
当該電子機器に前記第１の電子機器が接続されていると前記第１の接続判定部が判定した場合には、前記送信部は、前記制御情報生成部で生成された前記制御情報を、当該電子機器に接続された前記第１の電子機器に送信し、
当該電子機器に前記第１の電子機器が接続されていないと前記第１の接続判定部が判定した場合には、前記送信部は前記制御情報の送信を行わないことを特徴とする電子機器。
【請求項４】
請求項２又は３に記載の電子機器において、
当該電子機器に前記第２の電子機器が接続されているか否かを判定する第２の接続判定部をさらに備え、
当該電子機器に前記第２の電子機器が接続されていないと前記第２の接続判定部が判定した場合には、前記送信部は、前記制御情報生成部で生成された前記制御情報を、当該電子機器に接続された前記第１の電子機器に送信し、
当該電子機器に前記第２の電子機器が接続されていると前記第２の接続判定部が判定した場合には、前記制御情報生成部は制御情報の生成を行わず、前記送信部は、前記受信部で受信した前記制御情報を、当該電子機器に接続された前記第１の電子機器に送信することを特徴とする電子機器。
【請求項５】
請求項２から請求項４のいずれか一項に記載の電子機器において、
当該電子機器に接続された前記第２の電子機器から受信した前記制御情報に基づいて、前記制御情報生成部で前記制御情報を生成するか否かを制御することを特徴とする電子機器。
【請求項６】
請求項２から請求項５のいずれか一項に記載の電子機器において、
当該電子機器に接続された前記第２の電子機器から受信した前記制御情報を加工し、加工した制御情報を当該電子機器に接続された前記第１の電子機器に送信することを特徴とする電子機器。
【請求項７】
請求項１から請求項６のいずれか一項に記載の電子機器において、
当該電子機器、及び前記第１の電子機器は、ＵＳＢ規格に準拠した接続形式で接続されていることを特徴とする電子機器。
【請求項８】
画像表示装置であって、
画像を表示する表示部と、
当該画像表示装置、及び第１の画像表示装置を遠隔操作する制御機器から受信した制御信号に基づいて、制御情報を生成する制御情報生成部と、
前記制御情報生成部によって生成された前記制御情報を、前記第１の画像表示装置に送信する送信部と、
前記制御情報生成部によって生成された前記制御情報に基づいて所定の機能を実行する機能実行部と、
を備えることを特徴とする画像表示装置。
【請求項９】
電子機器の制御システムであって、
電子機器と、
第１の電子機器と、
前記電子機器、及び前記第１の電子機器を遠隔操作する制御機器と、を備え、
前記電子機器は、
前記制御機器から受信した制御信号に基づいて、制御情報を生成する制御情報生成部と、
前記制御情報生成部によって生成された前記制御情報を、前記第１の電子機器に送信する送信部と、
前記制御情報生成部によって生成された前記制御情報に基づいて所定の機能を実行する機能実行部と、
を備えることを特徴とする電子機器の制御システム。
【請求項１０】
請求項９に記載の電子機器の制御システムにおいて、
前記制御情報を生成して前記電子機器に送信する第２の電子機器をさらに備え、
前記電子機器は、
前記第２の電子機器から、当該第２の電子機器が生成した前記制御情報を受信する受信部をさらに備え、
前記送信部は、前記第２の電子機器から受信した前記制御情報を、前記第１の電子機器に送信し、
前記機能実行部は、前記第２の電子機器から受信した前記制御情報に基づいて、前記所定の機能を実行することを特徴とする電子機器の制御システム。
【発明の詳細な説明】
【技術分野】
【０００１】
本発明は、電子機器、画像表示装置、及び電子機器の制御システムに関する。
【背景技術】
【０００２】
従来、複数の電子機器を用いた種々のシステムが提案されている。例えば、特許文献１では、１台の映像信号源から出力された画像信号を、分配器を経由して電子機器である複数の画像表示装置に入力し、各画像表示装置が表示する画像を重なった状態で表示させるシステムが知られている。
【先行技術文献】
【特許文献】
【０００３】
【特許文献１】特開２０１１−２６６６号公報
【発明の概要】
【発明が解決しようとする課題】
【０００４】
しかしながら、特許文献１に記載の電子機器では、複数の電子機器の中で、対象となる電子機器に対してリモートコントローラー（リモコン）操作をした場合に、対象以外の電子機器に対してリモコン操作が反応してしまうなど、複数の電子機器全体に対して、または、電子機器毎に対して、リモコン操作を効率よく行うことが難しかった。
【課題を解決するための手段】
【０００５】
本発明は、上述の課題の少なくとも一部を解決するためになされたものであり、以下の形態または適用例として実現することが可能である。
【０００６】
［適用例１］本適用例に係る電子機器は、当該電子機器、及び第１の電子機器を遠隔操作する制御機器から受信した制御信号に基づいて、制御情報を生成する制御情報生成部と、前記制御情報生成部によって生成された前記制御情報を、前記第１の電子機器に送信する送信部と、前記制御情報生成部によって生成された前記制御情報に基づいて、所定の機能を実行する機能実行部と、を備えることを特徴とする。
【０００７】
本適用例によれば、電子機器は、制御情報生成部と送信部と機能実行部とを備えている。制御情報生成部は、当該電子機器、及び第１の電子機器を遠隔操作する制御機器から受信した制御信号に基づいて、制御情報を生成する。送信部は、制御情報生成部によって生成された制御情報を、第１の電子機器に送信する。機能実行部は、制御情報生成部によって生成された制御情報に基づいて、所定の機能を実行する。これにより、電子機器は、制御情報生成部によって生成された制御情報を、第１の電子機器へ送信するとともに、制御情報生成部によって生成された前記制御情報に基づいて、所定の機能を実行することが可能になる。
【０００８】
［適用例２］上記適用例に記載の電子機器は、第２の電子機器から、当該第２の電子機器が生成した前記制御情報を受信する受信部をさらに備え、前記送信部は、前記第２の電子機器から受信した前記制御情報を、前記第１の電子機器に送信し、前記機能実行部は、前記第２の電子機器から受信した前記制御情報に基づいて、前記所定の機能を実行することを特徴とする。
【０００９】
本適用例によれば、電子機器は、受信部をさらに備えている。受信部は、第２の電子機器から、当該第２の電子機器が生成した前記制御情報を受信する。これにより、電子機器は、第２の電子機器が生成した制御情報を受信して、受信した制御情報を第１の電子機器へ送信するとともに、受信した制御情報に基づいて所定の機能を実行することが可能になる。
【００１０】
［適用例３］上記適用例に記載の電子機器は、当該電子機器に前記第１の電子機器が接続されているか否かを判定する第１の接続判定部をさらに備え、当該電子機器に前記第１の電子機器が接続されていると前記第１の接続判定部が判定した場合には、前記送信部は、前記制御情報生成部で生成された前記制御情報を、当該電子機器に接続された前記第１の電子機器に送信し、当該電子機器に前記第１の電子機器が接続されていないと前記第１の接続判定部が判定した場合には、前記送信部は前記制御情報の送信を行わないことを特徴とする。
【００１１】
本適用例によれば、電子機器は、第１の接続判定部をさらに備えている。第１の接続判定部は、当該電子機器に第１の電子機器が接続されているか否かを判定する。そして、当該電子機器に第１の電子機器が接続されていると第１の接続判定部が判定した場合には、送信部は、制御情報を、当該電子機器に接続された第１の電子機器に送信する。これにより、電子機器は、当該電子機器に第１の電子機器が接続されていることを判定し、生成された制御情報を前記第１の電子機器に送信することが可能になる。
【００１２】
また、当該電子機器に第１の電子機器が接続されていないと第１の接続判定部が判定した場合には、送信部は制御情報の送信を行わない。これにより、電子機器は処理を簡略化することができる。
【００１３】
［適用例４］上記適用例に記載の電子機器は、当該電子機器に前記第２の電子機器が接続されているか否かを判定する第２の接続判定部をさらに備え、当該電子機器に前記第２の電子機器が接続されていないと前記第２の接続判定部が判定した場合には、前記送信部は、前記制御情報生成部で生成された前記制御情報を、当該電子機器に接続された前記第１の電子機器に送信し、当該電子機器に前記第２の電子機器が接続されていると前記第２の接続判定部が判定した場合には、前記制御情報生成部は制御情報の生成を行わず、前記送信部は、前記受信部で受信した前記制御情報を、当該電子機器に接続された前記第１の電子機器に送信することを特徴とすることを特徴とする。
【００１４】
本適用例によれば、電子機器は、第２の接続判定部をさらに備えている。第２の接続判定部は、当該電子機器に第２の電子機器が接続されているか否かを判定する。そして、当該電子機器に第２の電子機器が接続されていないと判定した場合には、送信部は、制御情報生成部によって生成された制御情報を、当該電子機器に接続された第１の電子機器に送信する。これにより、電子機器は、直列的に接続された複数の電子機器の最上流に当該電子機器が存在することを判定し、制御情報生成部によって生成された制御情報を当該電子機器に接続された第１の電子機器に送信することが可能になる。
【００１５】
また、当該電子機器に第２の電子機器が接続されていると判定した場合には、制御情報生成部は制御情報の生成を行わず、送信部は、受信した当該電子機器に接続された第２の電子機器が生成した制御情報を、当該電子機器に接続された第１の電子機器に送信する。これにより、電子機器は、当該電子機器に第２の電子機器が接続されている場合には、制御情報生成部によって制御情報を生成しないので、第２の電子機器が接続されている場合と接続されていない場合とで適切に処理を切り替えることができるため、各電子機器の制御の効率が向上する。
【００１６】
［適用例５］上記適用例に記載の電子機器は、当該電子機器に接続された前記第２の電子機器から受信した前記制御情報に基づいて、前記制御情報生成部で前記制御情報を生成するか否かを制御することを特徴とする。
【００１７】
本適用例によれば、電子機器は、当該電子機器に接続された第２の電子機器から受信した制御情報に基づいて、制御情報を生成するか否かを制御する。これにより、電子機器は、制御情報に基づいて、制御情報を生成するか否かを制御するので、適切に処理を切り替えることができるため、各電子機器の処理に差異をつけることが可能になる。
【００１８】
［適用例６］上記適用例に記載の電子機器は、当該電子機器に接続された前記第２の電子機器から受信した前記制御情報を加工し、加工した制御情報を当該電子機器に接続された前記第１の電子機器に送信することを特徴とする。
【００１９】
本適用例によれば、電子機器は、当該電子機器に接続された第２の電子機器から受信した制御情報を加工し、加工した制御情報を第１の電子機器に送信する。これにより、電子機器は、当該電子機器に接続された第２の電子機器、または第１の電子機器と異なる操作を行うことが可能になる。また、各電子機器で個体差がある場合には、その個体差情報を吸収し、同じ操作をより確実に行うことが可能になる。
【００２０】
［適用例７］上記適用例に記載の電子機器は、当該電子機器、及び前記第１の電子機器は、ＵＳＢ規格に準拠した接続形式で接続されていることを特徴とする。
【００２１】
本適用例によれば、当該電子機器、及び第１の電子機器は、ＵＳＢ規格に準拠した接続形式で接続する。これにより、各電子機器間の接続を簡易化することができる。
【００２２】
［適用例８］本適用例に係る画像表示装置は、画像を表示する表示部と、当該画像表示装置、及び第１の画像表示装置を遠隔操作する制御機器から受信した制御信号に基づいて、制御情報を生成する制御情報生成部と、前記制御情報生成部によって生成された前記制御情報を、前記第１の画像表示装置に送信する送信部と、前記制御情報生成部によって生成された前記制御情報に基づいて、所定の機能を実行する機能実行部と、を備えることを特徴とする。
【００２３】
本適用例によれば、画像表示装置は、制御情報生成部と送信部と機能実行部とを備えている。制御情報生成部は、当該画像表示装置、及び第１の画像表示装置を遠隔操作する制御機器から受信した制御信号に基づいて、制御情報を生成する。送信部は、制御情報生成部によって生成された制御情報を、第１の画像表示装置に送信する。機能実行部は、制御情報生成部によって生成された制御情報に基づいて、所定の機能を実行する。これにより、画像表示装置は、制御情報生成部によって生成された制御情報を、第１の画像表示装置へ送信するとともに、制御情報生成部によって生成された前記制御情報に基づいて、所定の機能を実行することが可能になる。
【００２４】
［適用例９］本適用例に係る電子機器の制御システムは、電子機器と、第１の電子機器と、前記電子機器、及び前記第１の電子機器を遠隔操作する制御機器と、を備え、前記電子機器は、前記制御機器から受信した制御信号に基づいて、制御情報を生成する制御情報生成部と、前記制御情報生成部によって生成された前記制御情報を、前記第１の電子機器に送信する送信部と、前記制御情報生成部によって生成された前記制御情報に基づいて所定の機能を実行する機能実行部と、を備えることを特徴とする。
【００２５】
本適用例によれば、電子機器の制御システムは、電子機器と、第１の電子機器と、電子機器、及び第１の電子機器を遠隔操作する制御機器と、を備えている。電子機器は、制御機器から受信した制御信号に基づいて、制御情報を生成する制御情報生成部と、制御情報生成部によって生成された制御情報を、第１の電子機器に送信する送信部と、制御情報生成部によって生成された制御情報に基づいて所定の機能を実行する機能実行部と、を備えている。これにより、電子機器の制御システムは、電子機器で生成された制御情報を、第１の電子機器へ送信するとともに、生成された前記制御情報に基づいて所定の機能を実行することが可能になる。
【００２６】
［適用例１０］上記適用例に記載の電子機器の制御システムは、前記制御情報を生成して前記電子機器に送信する第２の電子機器をさらに備え、前記電子機器は、前記第２の電子機器から、当該第２の電子機器が生成した前記制御情報を受信する受信部をさらに備え、前記送信部は、前記第２の電子機器から受信した前記制御情報を、前記第１の電子機器に送信し、前記機能実行部は、前記第２の電子機器から受信した前記制御情報に基づいて、前記所定の機能を実行することを特徴とする。
【００２７】
本適用例によれば、電子機器の制御システムは、電子機器に接続され、制御情報を生成して電子機器に送信する第２の電子機器をさらに備え、電子機器は、第２の電子機器から、当該第２の電子機器が生成した制御情報を受信する受信部をさらに備え、送信部は、第２の電子機器から受信した制御情報を、第１の電子機器に送信し、機能実行部は、第２の電子機器から受信した制御情報に基づいて、所定の機能を実行する。これにより、電子機器の制御システムは、電子機器が、第２の電子機器が生成した制御情報を受信して、受信した画像表情を第１の電子機器へ送信するとともに、第２の電子機器から受信した制御情報に基づいて、所定の機能を実行することが可能になる。
【図面の簡単な説明】
【００２８】
【図１】実施形態１に係る画像表示システムの構成を示す模式図である。
【図２】プロジェクターの内部構成を示すブロック図である。
【図３】プロジェクターによる制御処理を示すフローチャートである。
【発明を実施するための形態】
【００２９】
以下、本発明の実施形態について、図面を参照して説明する。
【００３０】
（実施形態１）
実施形態１では、電子機器である画像表示装置、及び画像表示装置を遠隔操作する制御機器を含む電子機器の制御システムについて説明する。また実施形態１では、画像表示装置としてプロジェクター３を、制御機器としてリモートコントローラーを用いた画像表示システム１を、電子機器の制御システムの構成例として例示して説明する。
【００３１】
まず、画像表示システム１の全体構成について説明する。
図１は、実施形態１に係る画像表示システム１の構成を示す模式図である。図１に示すように、本実施形態に係る画像表示システム１は、画像表示装置としてのプロジェクター３（３Ａ〜３Ｃ）と、３台のプロジェクター３Ａ〜３Ｃを遠隔操作する制御機器としてのリモートコントローラー２とを備える。各プロジェクター３Ａ〜３Ｃは、互いにＵＳＢ規格に準拠した接続形式（ＵＳＢ接続）により接続されている。
また、プロジェクター３を遠隔操作するリモートコントローラー２は、プロジェクター３の機能を操作するための制御信号をプロジェクター３へ送信する。なお、本実施形態では、画像表示システム１は、３台のプロジェクター３Ａ〜３Ｃを備えているが、当該プロジェクター３の接続数は、適宜設定可能である。
【００３２】
次に、プロジェクター３の内部構成について説明する。
図２は、プロジェクター３の内部構成を示すブロック図である。図２に示すように、プロジェクター３Ａは、受信部としてのＵＳＢモジュール（デバイス）３１、入力部３２、記憶部３３、制御部３４、ＶＲＡＭ３５、画像処理部３６、表示部３７、送信部としてのＵＳＢモジュール（ホスト）３８、及び画像入力部３９を備えている。
そして、これらＵＳＢモジュール（デバイス）３１、入力部３２、記憶部３３、制御部３４、ＶＲＡＭ３５、画像処理部３６、表示部３７、ＵＳＢモジュール（ホスト）３８、及び画像入力部３９は、バス４０を介して接続されている。なお、プロジェクター３Ｂ、３Ｃは、プロジェクター３Ａと同様の構成であるので、説明を省略する。
【００３３】
このうち、ＵＳＢモジュール（デバイス）３１は、「ＵＳＢ  Ｂ端子」により構成されるインターフェイスと、当該インターフェイスを介して接続された外部の電子機器であるプロジェクター３Ｃとの通信接続を確立するモジュールとにより構成されている。そして、当該ＵＳＢモジュール（デバイス）３１は、プロジェクター３Ｃから受信された制御情報を、制御部３４に出力する。
【００３４】
入力部３２は、使用者による入力操作を受け付け、入力操作に応じた制御信号を、制御部３４に送信する。入力部３２は、リモートコントローラー２がプロジェクター３を遠隔操作するために送信する制御信号を受信するための受光部や、プロジェクター３の筐体に設けられた操作ボタン、キーボード等を有して構成されている。
【００３５】
記憶部３３は、各種データの一時記憶等に用いられるＲＡＭ３３１、及び、フラッシュメモリーやＦｅＲＡＭ（Ｆｅｒｒｏｅｌｅｃｔｒｉｃ  ＲＡＭ：強誘電体メモリー）等の書き換え可能な不揮発性メモリー３３２等を備えている。
不揮発性メモリー３３２には、制御部３４の処理に必要な各種プログラムやデータ（これらが「ファームウェア」に相当する）や、ＰＣ、キーボード、またはリモートコントローラー２から受信した制御信号に基づいて制御情報を生成する制御情報生成プログラム、生成した制御情報またはＵＳＢモジュール（デバイス）３１により受信された制御情報を、ＵＳＢモジュール（ホスト）３８に接続された外部の電子機器であるプロジェクター３Ｂに送信するための制御情報送信プログラム、生成された制御情報またはＵＳＢモジュール（デバイス）３１により受信された制御情報に基づいてプロジェクター３が有する機能を操作する機能操作プログラムが記憶されている。
【００３６】
制御部３４は、ＣＰＵや、各種データ等の一時記憶に用いられるランダムアクセスメモリー（Ｒａｎｄｏｍ  Ａｃｃｅｓｓ  Ｍｅｍｏｒｙ：以下、ＲＡＭ）等を備えている。制御部３４は、記憶部３３に記憶されている制御プログラムに従って動作することにより、種々の機能を実現すると共に、プロジェクター３の動作を制御する。制御部３４が実行する機能については後述する。
【００３７】
ＶＲＡＭ３５は、画像処理部３６の作業領域であり、光変調装置により形成される１画面分の画像を少なくとも記憶可能に構成されている。
【００３８】
画像処理部３６は、画像入力部３９から入力される画像データ（画像信号）に対して各種の画質調整処理を行い、処理後の画像データに応じた駆動信号を表示部３７に出力する。画像処理部３６が実行する画質調整処理には、明るさ、コントラスト、シャープネス、色合いを調整する処理等が含まれる。
【００３９】
表示部３７は、画像を表示する。本実施形態では、表示部３７は、画像処理部３６から入力される駆動信号に応じた画像光を形成し、当該画像光を投写面上に投写する画像投写部である。この表示部３７は、詳しい図示を省略するが、光源装置、光変調装置、及び投写光学装置を備えている。このうち、光源装置は、光源ランプ及び反射鏡、或いは、ＬＥＤやレーザー等の固体光源を備え、光変調装置に光束を照射する。
【００４０】
光変調装置は、光源装置から射出された光束を変調して画像光を形成する液晶パネルと、入力される駆動信号に応じて液晶パネルを駆動するドライバーとを備えて構成されている。なお、光変調装置は、液晶パネルを備える構成に限定されるものではなく、例えば、マイクロミラーを用いたデバイス等、液晶パネル以外の構成を採用してもよい。投写光学装置は、形成された画像光を投写面上に投写するものであり、鏡筒と、当該鏡筒内に収納される複数のレンズとを備えた組レンズとして構成されている。
【００４１】
ＵＳＢモジュール（ホスト）３８は、「ＵＳＢ  Ａ端子」により構成されたインターフェイスと、当該インターフェイスを介して接続されたプロジェクター３Ｂ（外部機器）との通信接続を確立するモジュールとにより構成されている。そして、ＵＳＢモジュール（ホスト）３８は、制御部３４から出力される制御情報を、プロジェクター３Ｂに送信する。
【００４２】
画像入力部３９は、例えば、ＤＶＩ（Ｄｉｇｉｔａｌ  Ｖｉｓｕａｌ  Ｉｎｔｅｒｆａｃｅ）端子及びＤ−Ｓｕｂ（Ｄ−Ｓｕｂｍｉｎｉａｔｕｒｅ）端子等の映像入力端子と、当該映像入力端子を介して入力された画像信号をデジタル変換して出力するモジュールとにより構成されている。
【００４３】
ここで、制御部３４について説明する。制御部３４は、ＣＰＵを有して構成され、プロジェクター３Ａ全体を制御する。また制御部３４は、記憶部３３の不揮発性メモリー３３２に記憶された制御情報生成プログラム、制御情報送信プログラム、機能操作プログラムを読み出して、画像表示システム１において、上流側に位置するプロジェクター３Ｃ（外部機器）から受信された制御情報を、下流側に位置するプロジェクター３Ｂに送信する制御情報送信処理を実行する。
このため、制御部３４は、図２に示すように、第１の接続判定部３３２１、制御情報生成部３３２２、制御情報受信部３３２３、第２の接続判定部３３２４、制御情報送信部３３２５、及び機能実行部３３２６を備えている。なお本実施形態において、ある電子機器が「上流側」であるということは、その電子機器が、他の電子機器に対して制御情報を送信する電子機器であることを指すものとする。また本実施形態において、ある電子機器が「下流側」であるということは、その電子機器が、他の電子機器から制御情報を受信する電子機器であることを指すものとする。
【００４４】
第１の接続判定部３３２１は、ＵＳＢモジュール（ホスト）３８を介してプロジェクター３Ｂとの接続が確立されているか否かを判定する。
【００４５】
制御情報生成部３３２２は、プロジェクター３を遠隔操作するためにリモートコントローラー２が送信する制御信号を受信するための受光部や、プロジェクター３の筐体に設けられた操作ボタン、キーボード等を介して入力された制御信号を、プロジェクター３が有する機能を操作するための制御情報へ変換する。
【００４６】
制御情報受信部３３２３は、ＵＳＢモジュール（デバイス）３１により受信された制御情報を取得する。この際、プロジェクター３Ａは、ホストであるプロジェクター３Ｃのスレーブとなる。
【００４７】
第２の接続判定部３３２４は、ＵＳＢモジュール（デバイス）３１を介してプロジェクター３Ｃとの接続が確立されているか否かを判定する。
【００４８】
第２の接続判定部３３２４により、プロジェクター３Ｃとの接続が確立されていると判定された場合に、制御情報受信部３３２３で受信した制御情報を以後の処理で活用し、プロジェクター３Ｃとの接続が確立されていないと判定された場合は、制御情報生成部３３２２で生成された制御情報を以後の処理で活用する。
【００４９】
制御情報送信部３３２５は、第１の接続判定部３３２１により、プロジェクター３Ｂとの接続が確立されていると判定された場合に、制御情報を、ＵＳＢモジュール（ホスト）３８を介して、プロジェクター３Ｂに送信する。
【００５０】
機能実行部３３２６は、制御情報生成部３３２２によって生成された制御情報、または制御情報受信部３３２３によって受信した制御情報に基づいて、プロジェクター３Ａが有する所定の機能を実行する。機能実行部３３２６が実行可能な機能としては、例えば、プロジェクター３Ａが表示する画像の画質を調整する機能や、画像ソースを切り替える機能等が含まれる。
【００５１】
画像処理部３６は画像入力部３９から入力される画像信号に基づく画像を、ＶＲＡＭ３５上に描画する。そして、画像処理部３６は、ＶＲＡＭ３５上に描画した画像に各種の画質調整処理を行い、処理後の画像データに応じた駆動信号を、表示部３７に出力する。これにより、表示部３７は、入力された画像信号に応じた画像を表示する。即ち、表示部３７は、画像信号に応じた画像光を投写面上に投写する。
【００５２】
次に、プロジェクター３Ａ〜３Ｃによる制御情報送信処理、及び機能操作処理について説明する。
図３は、プロジェクター３（３Ａ〜３Ｃ）による制御情報送信処理を示すフローチャートである。プロジェクター３（３Ａ〜３Ｃ）は、プロジェクター３を起動後に、制御情報送プログラムを起動し、制御情報送信処理を実行する。
【００５３】
具体的には、プロジェクター３（電子機器、画像表示装置）において、第２の接続判定部３３２４は、ＵＳＢモジュール（デバイス）３１を介して上流側の外部機器（第２の電子機器、第２の画像表示装置）との接続が確立されているか否かを判定する（ステップＳ１０１）。
プロジェクター３と上流側の外部機器との間で接続が確立されていれば（ステップＳ１０１：ＹＥＳ）、プロジェクター３を遠隔操作するリモートコントローラー２から制御信号を受信したか否かを確認する（ステップＳ１０２）。
制御信号を受信していなければ（ステップＳ１０２：ＮＯ）、ステップＳ１０１に戻る。制御情報を受信していれば（ステップＳ１０２：ＹＥＳ）、ＵＳＢモジュール（ホスト）３８を介して下流側の電子機器（第１の電子機器、第１の画像表示装置）との接続が確立されているか否かを判定する（ステップＳ１０５）。
プロジェクター３と下流側の電子機器との間で接続が確立されていれば（ステップＳ１０５：ＹＥＳ）、受信した制御情報を下流側の電子機器へ送信する（ステップＳ１０６）。そして、受信した制御情報に基づいて、プロジェクター３において所定の機能を実行し（ステップＳ１０７）、制御情報送信処理を終了する。
プロジェクター３と下流側の電子機器との間で接続が確立されていなければ（ステップＳ１０５：ＮＯ）、受信した制御情報に基づいて、プロジェクター３において所定の機能を実行し（ステップＳ１０７）、制御情報送信処理を終了する。
【００５４】
プロジェクター３と上流側の外部機器との間で接続が確立されていなければ（ステップＳ１０１：ＮＯ）、プロジェクター３を遠隔操作するリモートコントローラー２から制御信号を受信したか否かを確認する（ステップＳ１０３）。
制御信号を受信していなければ（ステップＳ１０３：ＮＯ）、ステップＳ１０１に戻る。制御信号を受信していれば（ステップＳ１０３：ＹＥＳ）、受信した制御信号に基づいて制御情報を生成する（ステップＳ１０４）。
そして、ＵＳＢモジュール（ホスト）３８を介して下流側の外部機器との接続が確立されているか否かを判定する（ステップＳ１０５）。プロジェクター３と下流側の外部機器との間で接続が確立されていれば（ステップＳ１０５：ＹＥＳ）、生成した制御情報を下流側の電子機器へ送信する（ステップＳ１０６）。そして、生成した制御情報に基づいて、プロジェクター３において所定の機能を実行し（ステップＳ１０７）し、制御情報送信処理を終了する。
プロジェクター３と下流側の電子機器との間で接続が確立されていなければ（ステップＳ１０５：ＮＯ）、受信した制御情報に基づいてプロジェクター３において所定の機能を実行し（ステップＳ１０７）、制御情報送信処理を終了する。
【００５５】
次に、このフローチャートに基づいた各プロジェクター３Ａ〜３Ｃの具体的な動作について説明する。なお以下の説明では、（Ａ）プロジェクター３Ａ及び３Ｂによって構成したシステムにおける処理、及び（Ｂ）プロジェクター３Ａ〜３Ｃによって構成したシステムにおける処理を例示して説明する。
【００５６】
（Ａ）プロジェクター３Ａ及び３Ｂによって構成したシステムにおける処理
この構成例においては、プロジェクター３Ａの下流側にプロジェクター３Ｂが接続されているものとする。
プロジェクター３Ａにおいて、第２の接続判定部３３２４は、ＵＳＢモジュール（デバイス）３１を介して上流側の外部機器との接続が確立されていないと判定する（ステップＳ１０１：ＮＯ）。次に、プロジェクター３を遠隔操作するリモートコントローラー２から制御信号を受信したか否かを確認する（ステップＳ１０３）。制御信号を受信していなければ（ステップＳ１０３：ＮＯ）、ステップＳ１０１に戻る。制御信号を受信していれば（ステップＳ１０３：ＹＥＳ）、受信した制御信号に基づいて制御情報を生成する（ステップＳ１０４）。そして、ＵＳＢモジュール（ホスト）３８を介して、下流側の電子機器であるプロジェクター３Ｂとの接続が確立されていると判定すると（ステップＳ１０５：ＹＥＳ）、生成した制御情報をプロジェクター３Ｂへ送信する（ステップＳ１０６）。そして、生成した制御情報に基づいて、プロジェクター３Ａにおいて所定の機能を実行し（ステップＳ１０７）、制御情報送信処理を終了する。
【００５７】
一方、プロジェクター３Ｂでは、ＵＳＢモジュール（デバイス）３１を介して、上流側のプロジェクター３Ａとの接続が確立されていると判定する（ステップＳ１０１：ＹＥＳ）。次に、プロジェクター３Ａから、プロジェクター３Ａが生成した制御情報を受信したかどうかを確認する（ステップＳ１０２）。制御情報を受信していなければ（ステップＳ１０２：ＮＯ）、ステップＳ１０１に戻る。制御情報を受信していれば（ステップＳ１０２：ＹＥＳ）、ＵＳＢモジュール（ホスト）３８を介して下流側の外部機器との接続が確立されているか否かを判定する（ステップＳ１０５）。プロジェクター３Ｂとの接続が確立されていないと判定すると（ステップＳ１０５：ＮＯ）、受信した制御情報に基づいてプロジェクター３Ｂにおいて所定の機能を実行し（ステップＳ１０７）、制御情報送信処理を終了する。
【００５８】
（Ｂ）プロジェクター３Ａ〜３Ｃによって構成したシステムにおける処理
この構成例においては、プロジェクター３Ａの下流側にプロジェクター３Ｂが接続され、プロジェクター３Ａの上流側にプロジェクター３Ｃが接続されているものとする。
プロジェクター３Ａにおいて、第２の接続判定部３３２４は、ＵＳＢモジュール（デバイス）３１を介して、上流側の外部機器であるプロジェクター３Ｃとの接続が確立されていると判定する（ステップＳ１０１：ＹＥＳ）。次に、プロジェクター３Ｃから制御信号を受信したか否かを確認する（ステップＳ１０２）。制御信号を受信していなければ（ステップＳ１０２：ＮＯ）、ステップＳ１０１に戻る。制御信号を受信して（ステップＳ１０２：ＹＥＳ）、ＵＳＢモジュール（ホスト）３８を介して下流側の電子機器であるプロジェクター３Ｂとの接続が確立されていると判定すると（ステップＳ１０５：ＹＥＳ）、プロジェクター３Ｃから受信した制御情報をプロジェクター３Ｂへ送信する（ステップＳ１０６）。そして、プロジェクター３Ｃから受信した制御情報に基づいて、プロジェクター３Ａにおいて所定の機能を実行し（ステップＳ１０７）、制御情報送信処理を終了する。
【００５９】
一方、プロジェクター３Ｂでは、ＵＳＢモジュール（デバイス）３１を介して、上流側のプロジェクター３Ａとの接続が確立されていると判定する（ステップＳ１０１：ＹＥＳ）。次に、プロジェクター３Ａから制御情報を受信したかどうかを確認する（ステップＳ１０２）。制御情報を受信していなければ（ステップＳ１０２：ＮＯ）、ステップＳ１０１に戻る。制御情報を受信して（ステップＳ１０２：ＹＥＳ）、ＵＳＢモジュール（ホスト）３８を介して下流側の外部機器との接続が確立されていないと判定すると（ステップＳ１０５：ＮＯ）、受信した制御情報に基づいて、プロジェクター３Ｂにおいて所定の機能を実行し（ステップＳ１０７）、制御情報送信処理を終了する。
【００６０】
プロジェクター３Ｃでは、ＵＳＢモジュール（デバイス）３１を介して上流側の外部機器との接続が確立されていないと判定する（ステップＳ１０１：ＮＯ）。次に、プロジェクター３を遠隔操作するリモートコントローラー２から制御信号を受信したかどうかを確認する（ステップＳ１０３）。制御信号を受信していなければ（ステップＳ１０３：ＮＯ）、ステップＳ１０１に戻る。制御信号を受信していれば（ステップＳ１０３：ＹＥＳ）、受信した制御信号に基づいて制御情報を生成する（ステップＳ１０４）。そして、ＵＳＢモジュール（ホスト）３８を介して、下流側の電子機器であるプロジェクター３Ａとの接続が確立されていると判定し（ステップＳ１０５：ＹＥＳ）、生成した制御情報をプロジェクター３Ａへ送信する（ステップＳ１０６）。そして、生成した制御情報に基づいて、プロジェクター３Ｃにおいて所定の機能を実行し（ステップＳ１０７）、制御情報送信処理を終了する。
【００６１】
上述した第１の実施形態によれば、以下の効果が得られる。
（１）画像表示システム１においては、プロジェクター３Ａ〜３Ｃは直列に縦続接続されている。リモートコントローラー２から送信された制御信号は、プロジェクター３Ｃにより受信された後、制御信号から制御情報を生成し、生成された制御情報は、プロジェクター３Ａを経て、プロジェクター３Ｂに送信される。最終的に、プロジェクター３Ａ〜３Ｃは、制御情報に基づいて、所定の機能を実行する。
これにより、リモートコントローラー２から１回の操作指示を行うことで、プロジェクター３Ａ〜３Ｃの機能を略同時に操作することができるため、複数台のプロジェクター３を用いた場合であっても、リモートコントローラー２からの機能操作の効率が向上する。例えば、プロジェクターの複数台投写等において、フォーカス調整、ズーム調整、拡大縮小調整、色補正調整、電源制御等のプロジェクターが有する機能（所定の機能）の操作を行う場合に、作業工数を低減することができる。
【００６２】
（２）画像表示システム１においては、プロジェクター３Ａ〜３Ｃは直列に縦続接続されている。プロジェクター３Ｃは、リモートコントローラー２から送信された制御信号を受信した後、制御信号から制御情報を生成し、生成された制御情報は、プロジェクター３Ａを経て、プロジェクター３Ｂに送信される。これによれば、１台のプロジェクター３Ｃに制御情報を送信すれば、当該制御情報は各プロジェクター３Ａ、３Ｂに送信されることとなる。従って、プロジェクター３Ｃが各プロジェクター３Ａ、３Ｂにそれぞれ個別に制御情報を送信する場合に比べ、当該プロジェクター３Ｃの負担を軽減することができる。また、ハブ（ｈｕｂ）等を用いる必要が無いため、制御情報送信処理のための設備を簡略化することができる。
【００６３】
（３）画像表示システム１においては、プロジェクター３Ａ〜３Ｃは直列に縦続接続され、プロジェクター３Ｃは、リモートコントローラー２から送信された制御信号を受信した後、制御信号から制御情報を生成し、生成された制御情報は、プロジェクター３Ａを経て、プロジェクター３Ｂに送信される。これによれば、プロジェクター３Ａ、３Ｂは、プロジェクター３Ｃから送信された制御情報に基づいて、所定の機能を実行することになる。これにより、リモートコントローラー２の制御信号が届きにくい設置位置にあるプロジェクター３等においても、各プロジェクター３は制御情報に基づいて当該プロジェクター３の機能操作を確実に行うことができるため、複数台のプロジェクター３を用いた場合であってもリモートコントローラー２からの機能操作の効率が向上する。例えば、複数台のプロジェクターの各種調整作業の失敗を減らせるので作業工数を低減することができる。
【００６４】
（４）画像表示システム１におけるプロジェクター３Ａ〜３Ｃは、制御部３４に第２の接続判定部３３２４を備えている。第２の接続判定部３３２４は、当該プロジェクターの上流側にプロジェクターが接続されているか否かを判定する。そして、上流側にプロジェクターが接続されていない場合には、リモートコントローラー２から受信した制御信号に基づいて制御情報を生成し、生成した制御情報を下流側に接続されているプロジェクターへ送信する。上流側にプロジェクターが接続されている場合は、上流側のプロジェクターから受信した制御信号を下流側に接続されているプロジェクターへ送信する。これにより、上流側のプロジェクターの接続状況によって、最適な処理を行うことができる。
【００６５】
（５）画像表示システム１におけるプロジェクター３Ａ〜３Ｃは、制御部３４に第１の接続判定部３３２１を備えている。第１の接続判定部３３２１は、当該プロジェクターの下流側にプロジェクターが接続されているか否かを判定する。そして、下流側にプロジェクターが接続されていない場合には、制御情報送信部３３２５は、制御情報の送信を行わない。これにより、下流側にプロジェクターが接続されていない場合には、制御方法を送信しないので、処理が低減される。
【００６６】
（６）各プロジェクター３Ａ〜３Ｃは、互いにＵＳＢ接続により接続されているので、プロジェクター３Ａは、上流側に位置するプロジェクター３Ｃから受信した制御情報を、下流側に位置するプロジェクター３Ｂに送信する際に、当該制御情報のデータ形式、及び構成を大きく変更する必要がない。従って、画像表示システム１を構成するプロジェクター３Ａの負担を軽減することができる。
【００６７】
（７）プロジェクター３Ａ〜３Ｃをリモートコントローラー２によって操作する際に、プロジェクター３Ａ〜３Ｃ全体、またはプロジェクター３Ａ〜３Ｃ毎に対して操作を確実に行うことができるので、対象外のプロジェクター３に対して誤った操作を行うことがないため、ユーザーの操作性が向上する。
【００６８】
なお、上述した実施形態に限定されず、種々の変更や改良等を加えて実施することが可能である。変形例を以下に述べる。
【００６９】
（変形例１）
上述の実施形態では、画像表示装置としてプロジェクター３（３Ａ〜３Ｃ）を用いた構成を例示して説明したが、本発明における画像表示装置はプロジェクターに限定されない。例えば、画像表示装置として、液晶表示パネルに画像／映像を表示する液晶モニターまたは液晶テレビ、或いは、ＰＤＰ（プラズマディスプレイパネル）に画像／映像を表示するモニター装置またはテレビ受像機、ＯＬＥＤ（Ｏｒｇａｎｉｃ  ｌｉｇｈｔ−ｅｍｉｔｔｉｎｇ  ｄｉｏｄｅ）、ＯＥＬ（Ｏｒｇａｎｉｃ  Ｅｌｅｃｔｒｏ−Ｌｕｍｉｎｅｓｃｅｎｃｅ）等と呼ばれる有機ＥＬ表示パネルに画像／映像を表示するモニター装置、またはテレビ受像機等の自発光型の表示装置など、各種の表示装置も本発明の画像表示装置に含まれる。この場合、液晶表示パネル、プラズマディスプレイパネル、有機ＥＬ表示パネルが、画像を表示する表示部に相当する。
【００７０】
（変形例２）
上述の実施形態では、プロジェクター３Ａ〜３Ｃの接続形式は、ＵＳＢ接続としたが、本発明はこれに限られない。すなわち、受信した制御情報を大きく変更することなく、下流側の装置に送信することが可能であれば、他の形式であってもよい。
【００７１】
（変形例３）
上述の実施形態では、プロジェクター３Ａ〜３Ｃに制御信号を送信する制御機器としてリモートコントローラー２を挙げたが、リモートコントローラー２以外の制御機器を用いても良い。例えば、複数台のプロジェクター３のうちの最も上流側にあるプロジェクター３に接続され、この最も上流側にあるプロジェクター３に制御信号を送信するＰＣを制御機器として用いても良い。
【００７２】
（変形例４）
上述の実施形態では、上流側のプロジェクターから受信した制御情報に基づいて、制御情報生成部で制御情報を生成するとしたが、本発明はこれに限らない。すなわち、受信した制御情報に基づいて、制御情報生成部で制御情報を生成するか否かを判定してもよい。こうすることで、プロジェクターによって不要な処理を回避することができるので、プロジェクター毎に適切な処理を実行することが可能となる。
【００７３】
（変形例５）
上述の実施形態において、プロジェクター３Ａ〜３Ｃは、同じ内容の制御情報に基づいて、当該プロジェクターの機能を操作するとしたが、本発明はこれに限らない。プロジェクター３Ａ〜３Ｃは、リモートコントローラー２から受信した制御信号に基づいて生成した制御情報、または上流側のプロジェクターから受信した制御情報を、更に加工して下流側のプロジェクターへ送信してもよい。また、当該プロジェクターの機能操作は、加工前、加工後のどちらの制御情報を使っても良い。こうすることで、プロジェクター毎の機種または個体性能の差異を吸収し、より同じレベルの機能操作を実現することが可能となる。また、プロジェクター毎で異なった機能操作を行うことが可能となる。
【００７４】
（変形例６）
上述の実施形態において、電子機器として画像表示装置を用いた構成例を例示して説明したが、本発明はこれに限られない。本発明は、画像表示装置以外の電子機器を用いたシステムに対しても適用可能である。例えば、複数のオーディオ機器を含むシステムに対して本発明を適用すれば、複数のオーディオ機器を連動して動作させることで、多様な音響効果を実現することができる。また、複数の電子遊具（例えば、電子人形等）を含むシステムに対して本発明を適用すれば、種々のアトラクション等において複数の電子遊具を連動して動作させることで、バリエーションに富んだ演出効果を実現することが可能である。
【００７５】
（変形例７）
上述の実施形態では、プロジェクター３Ａ〜３Ｃで実行される所定の機能として、フォーカス調整、ズーム調整、拡大縮小調整、色補正調整、電源制御等を例示して説明したが、制御信号に基づいて実行される所定の機能はこれらに限られない。例えば、画像の表示タイミングをコントロールする信号を制御信号として用いることで、プロジェクター３Ａ〜３Ｃが同期して画像を表示するように制御することも可能である。
【符号の説明】
【００７６】
１…画像表示システム、２…リモートコントローラー、３，３Ａ，３Ｂ，３Ｃ…プロジェクター、３１…ＵＳＢモジュール（デバイス）、３２…入力部、３３…記憶部、３４…制御部、３５…ＶＲＡＭ、３６…画像処理部、３７…表示部、３８…ＵＳＢモジュール（ホスト）、３９…画像入力部、３３１…ＲＡＭ、３３２…不揮発性メモリー、３３２１…第１の接続判定部、３３２２…制御情報生成部、３３２３…制御情報受信部、３３２４…第２の接続判定部、３３２５…制御情報送信部、３３２６…機能実行部、４０…バス。
【図１】
2014072822.tif 000003
【図２】
2014072822.tif 000004
【図３】
2014072822.tif 000005